(57)【特許請求の範囲】
【請求項１】
嵌合コネクタのそれぞれの１つ以上の第２の端子への電気的連結のために各々適合される、１つ以上の第１の端子を有する電気コネクタであって、熱は、通電時に、前記コネクタにおいて生成され、前記電気コネクタは、
前記１つ以上の第１の端子の周りに、かつそれらと締り嵌め接触して配置される、第１の熱伝導性の内側電気絶縁体と、
該第１の絶縁体の周りに、かつそれと締り嵌め接触して配置される、細長い金属スリーブと、
前記嵌合コネクタへの接続のために適合され、前記金属スリーブの周りに、かつそれと締り嵌め接触して配置される、第１の外側熱伝導性の連結ナットと、
前記金属スリーブと前記第１の連結ナットとの中間に、かつそれらと接触して配置される、少なくとも１つの金属のコイル状のバネの熱導体と、を備え、熱は、前記連結ナットの外側表面からの放射のために、前記１つ以上の第１の端子から、前記内側絶縁体、前記金属スリーブ、および前記コイル状のバネの熱導体を介して、前記外側連結ナットに伝送される、電気コネクタ。
【請求項２】
前記コイル状のバネの熱導体は、前記第１の外側連結ナットの内側表面内に配置され、かつその周りに延在する、略円形のスロット内に配置される、請求項１に記載の電気コネクタ。
【請求項３】
前記熱導体は、略円形の形状であり、伝導および対流を介して、前記第１の連結ナットに対する外方への前記金属スリーブからの熱の伝送を可能にするために、その長さに沿って配置される、複数の離間されたコイルを含む、請求項２に記載の電気コネクタ。
【請求項４】
前記熱導体は、略円形のコイル状のバネの形態である、請求項３に記載の電気コネクタ。
【請求項５】
前記金属スリーブの隣接する部分と前記嵌合コネクタの第２の熱伝導性の内側電気絶縁体との間に配置され、かつそれらに当接する様態で係合する、封止をさらに備える、請求項１に記載の電気コネクタ。
【請求項６】
前記嵌合コネクタは、前記１つ以上の第２の端子の周りに、かつそれと締り嵌め接触して配置される、第２の熱伝導性の内側電気絶縁体を含み、前記第１および第２の電気絶縁体は、それらの隣接する端部間に配置される間隙と相互整合して配設され、前記細長い金属スリーブは、前記間隙上に、かつ前記第２の絶縁体と締り嵌め接触して配置される、請求項５に記載の電気コネクタ。
【請求項７】
前記封止は、圧縮性材料から成る、請求項５に記載の電気コネクタ。
【請求項８】
前記第１の電気絶縁体は、熱伝導性の電気絶縁性の熱可塑性材料から成る、請求項１に記載の電気コネクタ。
【請求項９】
前記第１および第２の電気絶縁体は、熱伝導性の電気絶縁性の熱可塑性材料から成る、請求項６に記載の電気コネクタ。
【請求項１０】
前記第１の外側連結ナットは、そこからの熱放射を増強するように、その外側表面上の複数の離間されたリブを含む、請求項１に記載の電気コネクタ。
【請求項１１】
前記第１の内側電気絶縁体は、そこからの熱放射を増強するように、その外側表面上の複数の離間されたリブを含む、請求項１に記載の電気コネクタ。
【請求項１２】
前記嵌合コネクタ上に配置され、前記第１の外側連結へのしっかりとした連結のために適合される、第２の外側熱伝導性のナットをさらに備える、請求項１に記載の電気コネクタ。
【請求項１３】
前記第１および第２の連結ナットは、しっかりとした相互連結のために適合される、外側および内側ネジ山付き部分をそれぞれ有する、請求項１に記載の電気コネクタ。
【請求項１４】
前記第１および第２の連結ナットは、該連結ナットからの熱の放射を容易にするように、それらのそれぞれの外側表面上に配置される、第１および第２の複数の離間されたリブをそれぞれ含む、請求項１３に記載の電気コネクタ。
【請求項１５】
前記１つ以上の第１および第２の端子は、それぞれ、第１および第２の複数のリードのそれぞれのものに各々連結され、前記電気コネクタは、それぞれ、前記第１の端子および第１のワイヤならびに前記第２の端子および第２のワイヤをそれぞれ被覆する、第１および第２の熱伝導性のオーバーモールド本体をさらに備える、請求項１に記載の電気コネクタ。
【請求項１６】
前記第１および第２の電気絶縁体は、該電気絶縁体からの熱の放射を容易にするために、それらのそれぞれの外側表面上の第１および第２の複数の離間されたリブを含む、請求項６に記載の電気コネクタ。
【請求項１７】
前記コイル状のバネは、該コイル状のバネの熱導体のキンクを引き起こすことなく、前記第１の連結ナットと前記金属スリーブとの間の相対運動を容易にするように、角度が付けられたコイルを含む、請求項４に記載の電気コネクタ。
【発明の詳細な説明】
【技術分野】
【０００１】
関連出願
本出願は、その全体として参照することにより本明細書に組み込まれる、２０１２年３月１２日に出願された米国仮出願第６１／６０９，４２７号への優先権を主張する。
【０００２】
本発明は、概して、電気コネクタに関し、具体的には、より高い電流および増加した電力の伝送に対応するように、改善された熱伝導および消散を有する、電気電源コネクタを対象とする。
【背景技術】
【０００３】
一般的なタイプの電気コネクタシステムは、オスアセンブリ、およびメスレセプタクルコネクタを含み、オスアセンブリが、メスレセプタクルアセンブリに挿入されて、電気的連続性を確立する。恐らく、熱は、これらのタイプの電気コネクタ、特に、高い電流を搬送し、かつ増加した電力に供されるものにおける故障の最も一般的な原因である。熱は、コネクタにおいて増大し、適切に消散されない時、コネクタ構成要素の劣化、およびコネクタの故障を引き起こす。効率的な様態で電気コネクタ内の熱を制限および除去するための努力が、コネクタ技術において成されている。しかしながら、かかる努力は、ほぼ完全に、熱伝導、および限られた成功のみをもたらす従来のコネクタ設計に依存している。これらの努力における成功は、ほぼ全ての技術分野、および特に、コンピュータ、電気通信、および工業用途における、より高い電流およびより小さいコネクタの使用の増加により、より困難となっている。
【０００４】
ほとんどの場合、コネクタ内の熱消散は、大気への熱消散のためのコネクタの内部導体とその外皮との間の高い熱伝導の連続的な経路を提供しないコネクタ内の不連続性の存在によって、制限される。他のコネクタにおいて、高い電気絶縁性特性を有する材料が使用される一方、これらの同じ材料は、限られた熱伝導のみを有し、コネクタからの熱消散を促進しない。
【０００５】
本発明は、熱生成コネクタ構成要素に、コネクタ全体を通じてその外側周辺への低い熱抵抗の連続的な経路を提供しつつ、複雑性の増加、およびヒートシンクの追加の費用を伴うことなく、コネクタからの熱放出を容易にするように、高い電気抵抗および熱流への低い抵抗を有する材料を有するコネクタ内で、これらの熱源を完全に封入することによって、先行技術のこれらの制限に対処する。
【発明の概要】
【課題を解決するための手段】
【０００６】
したがって、より高い電流および増加した電力の伝送に対応するように、増加した熱伝導および消散を有する電気電源コネクタを提供することが、本発明の目的である。
【０００７】
コネクタの外側表面を介して周囲大気に熱を方向付けるように、１つ以上の導体を有する電気コネクタにおける熱伝導および対流を採用することが、本発明の別の目的である。
【０００８】
本発明のさらに別の目的は、コネクタからヒートシンクまたは周囲大気に熱を効率的に消散するために、コネクタ全体を通じて高い熱伝導性材料から成る構成要素のみを使用することによって、電気電源コネクタにおける熱の増大を制限することである。
【０００９】
本発明のさらなる目的は、周囲大気への消散のために、熱を電流搬送電気コネクタの内部からその外側周辺に方向付けるために、中実の金属の円筒形スリーブおよびコイル状の円形の金属バネの組み合わせを使用することである。
【００１０】
本発明のなおさらなる目的は、導体からの熱の消散または放出を容易にするように、高熱伝導性材料から成る本体を有する電気コネクタ内の間隙および空隙を排除することである。
【００１１】
本発明は、電気的導体内の熱の増大を最小化するように、高度に熱伝導性の材料から成る間隙または空隙を伴わない連続的な構造内の接続された、伝導オスおよびメス端子を完全に封入するための多導体電気コネクタにおける配設をさらに企図する。
【００１２】
本発明は、嵌合コネクタのそれぞれの１つ以上の第２の端子への電気的連結のために各々適合される、１つ以上の第１の端子を有する電気コネクタを企図し、熱は、導電性になる時、コネクタにおいて生成され、電気コネクタは、１つ以上の第１の端子の周りに、かつそれらと締り嵌め接触して配置される、第１の熱伝導性の内側電気絶縁体と、第１の絶縁体の周りに、かつ締り嵌め接触して配置される、細長い金属スリーブと、嵌合コネクタへの接続のために適合され、金属スリーブの周りに、かつそれと締り嵌め接触して配置される、第１の外側熱伝導性の連結ナットと、金属スリーブと第１の連結ナットとの中間に、かつそれらと接触して配置される、少なくとも１つの金属のコイル状のバネの熱導体と、を備え、熱は、連結ナットの外側表面からの放射のために、１つ以上の第１の端子から、内側絶縁体、金属スリーブ、および金属のコイル状のバネの熱導体を介して、外側連結ナットに伝送される。
【００１３】
添付の特許請求の範囲は、本発明を特徴付ける、それらの新規の特性を記載する。しかしながら、本発明自体、ならびにそのさらなる目的および利点は、同様の参照文字が、種々の図面を通して、同様の要素を特定する、添付の図面と併せて、以下の発明を実施するための形態を参照して、最良に理解されるであろう。
【図面の簡単な説明】
【００１４】
【図１】本発明に従う熱伝導を有する電気電源コネクタの嵌合した状態にあるオスアセンブリおよびメスアセンブリの斜視図である。
【図２】オスおよびメスの本発明の電源コネクタの分解側面立面図である。
【図３】嵌合した状態にある本発明のオスおよびメス電源コネクタの側面立面図である。
【図４】その中の視線４−４に沿って採られる、図３に例解される電源コネクタの横断面図である。
【図５】図３に示される、組み立てられた電源コネクタの縦断面図である。
【図５ａ】嵌合していない状態にある本発明の電源コネクタの縦断面図である。
【図６】その中の視線６−６に沿って採られる、図３に示される電源コネクタの横断面図である。
【図７】本発明の電源コネクタにおいて使用される、オス絶縁体またはインサートの前面図である。
【図８】図７に示される、オス絶縁体の前面斜視図である。
【図８ａ】図７に示される、オス絶縁体の後面斜視図である。
【図９】本発明の電源コネクタにおいて使用される、メス絶縁体またはインサートの前面図である。
【図１０】図９に示される、メス絶縁体の前面斜視図である。
【図１０ａ】図９に示される、メス絶縁体の後面斜視図である。
【図１１】本発明の電源コネクタにおいて使用される、円筒形の金属スリーブの斜視図である。
【図１２】本発明の電源コネクタにおいて使用される、金属の内部冷却バネの平面図である。
【図１３】図１２に示される、金属の内部冷却バネの部分の拡大図である。
【発明を実施するための形態】
【００１５】
図１、２、および３を参照すると、本発明の原理に従う、電源コネクタ１０の斜視、分解、および側面立面図がそれぞれ示されている。図４および６は、その中の視線４−４および６−６に沿ってそれぞれ採られる、図３に示される電気コネクタ１０の断面図である。図５および５ａは、それぞれ、本発明の電源コネクタ１０の嵌合された、および嵌合されていない縦断面図である。図７、８、および８ａは、それぞれ、本発明の電源コネクタにおいて使用されるオス絶縁体またはインサート２８の前面平面図ならびに前面および背面斜視図である。図９、１０、および１０ａは、それぞれ、本発明の電源コネクタにおいて使用されるメス絶縁体またはインサート４８の前面平面図ならびに前面および背面斜視図である。図１１は、本発明の電源コネクタ１０において使用される円筒形の金属スリーブ５６の斜視図である。図１２は、本発明の電源コネクタにおいて使用される金属の内部冷却バネ３６の平面図である。図１３は、図１２に示される金属の内部冷却バネ３６の部分の拡大図である。
【００１６】
電源コネクタ１０は、第１の多導体ケーブル２０内の複数の電気的リード２０ａおよび２０ｂを、第２の多導体ケーブル４０内の複数のリード４０ａおよび４０ｂに連結するために適合される。コネクタ１０の第１の端部上には、第１のオーバーモールド本体１６があり、一方、コネクタの第２の対向する端部上には、第２のオーバーモールド本体１８がある。第１のオーバーモールド本体１６は、第１の多導体ケーブル２０およびオス絶縁体２８の外側端部の周りに配置され、これらの２つの構成要素をともにしっかりと連結して維持するために、それらに係合する。同様に、第２のオーバーモールド本体１８は、第２の多導体ケーブル４０およびメス絶縁体４８の外側端部の周りに配置され、それらにしっかりと係合する。第１および第２のオーバーモールド本体１６、１８の各々は、電気絶縁かつ熱伝導性材料から成り、図１に示されるように内側端部上にそれぞれの複数の離間された突起１６ｂ、１８ｂを含む。第１および第２のオーバーモールド本体１６、１８上の離間された突起は、オーバーモールド本体からの熱の解放を容易にし、オーバーモールド本体の把持もまた容易にする。第１および第２のオーバーモールド本体１６、１８は、熱および圧力を使用する従来の様態で、電源コネクタ１０および第１および第２の多導体ケーブル２０、４０に適用され、ケーブル張力緩和を提供する。
【００１７】
図７、８、および８ａにより詳細に示される、オス絶縁体２８は、複数のセグメント化されたリブまたはフィン２８ａ、２８ｂ、２８ｃ、および２８ｄを有する、第１の外側端部を含む。リブ２８ａ〜２８ｄは、オス絶縁体２８の外側端部の周りに放射状に配置され、動作中のコネクタ熱を消散するように、これらのリブからの熱の外方放射を容易にするように、複数のセグメントを含むように形成される。隣接するセグメント化されたリブ２８ａ〜２８ｄの各対は、要素５２ａ〜５２ｄとして図８ａに示されるように、それぞれの曲線のスロットを形成する。４つの離間されたスロット５２ａ〜５２ｄの各々は、第１の多導体ケーブルまたはリード２０から延在するそれぞれの導体、およびリードに接続される端子の組み合わせを受容するように適合される。このため、図５および５ａに示されるように、それらのそれぞれの取設されたリード２０ａおよび２０ｂを伴うこれら２つのオス端子２２ａおよび２２ｂは、それぞれのオス絶縁体スロット内に位置付けられる。オス端子２２ａは、ワイヤ圧着によって、第１の多導体ケーブル２０の導体２０ａに接続されて示される。第１の多導体ケーブル２０の残りのリードは、ワイヤ圧着によって、オス端子の関連付けられるものに同様に電気的に連結される。
【００１８】
オス絶縁体２８の内側端部部分には、絶縁体の外側周辺に配置される、複数の離間された円筒形のスロット３０ａ〜３０ｄが提供される。スロット３０ａ〜３０ｄの基部には、それぞれのアパーチャ３２ａ〜３２ｄがあり、それらの各々は、オス絶縁体２８内の関連付けられるスロットの長さに実質的に沿って延在するそれぞれのオス端子を受容するように適合される。これらの円筒形の周辺のスロット３０ａ〜３０ｄは、オス端子のそれぞれのものを受容するように各々適合されるが、これらのオス端子のうちの２つは、図面において、要素２２ａおよび２２ｂとして示される。
【００１９】
メス絶縁体４８の外側端部にもまた、図１０に示されるように、離間された様態で、その外側周辺に配置される複数のリブまたはフィン４８ａ、４８ｂ、４８ｃ、および４８ｄが提供され、ここでは、４つのリブのうちの３つが、要素４８ａ、４８ｂ、および４８ｃとして示される。メス絶縁体４８内の隣接するリブは、図１０ａにおいて要素９８ａ〜９８ｄとして示されるスロットを形成する。スロット９８ａ〜９８ｄの各々は、第２の多導体ケーブルまたはリード４０から延在するそれぞれの導体、およびリードに圧着される端子の組み合わせを受容するように適合される。それらのそれぞれの取設されたリード４０ａおよび４０ｂを伴う、これら２つのメス端子４２ａおよび４２ｂは、それぞれのメス絶縁体スロット内に位置付けられる。オス絶縁体２８の場合のように、メス絶縁体４８の離間されたリブ４８ａ〜４８ｄは、以下で述べられるように、メス絶縁体からの、ならびにメス導体および端子から離した熱の除去を促進および増強する。種々の図面に図示される本発明のコネクタ１０の実施形態において、オスおよびメス端子の各々が４つ存在するということが理解されるものとする。しかしながら、この数は、本明細書において、例解目的でのみ使用されるため、本発明は、４つのリード、ならびに４つの対のオスおよびメス端子との使用に限定されない。
【００２０】
メス絶縁体４８の第２の内側端部には、４つの離間された部材４８ｅ、４８ｆ、４８ｇ、および４８ｈが提供され、それらのうちの２つは、円筒形であり、各々が、それぞれの内側中空管９７ｅ、９７ｆ、９７ｇ、９７ｈを有し、それらのうちの２つは、非対称であり、その長さに延在する。離間された部材４８ｅ〜４８ｈ内の管の各々は、要素４２ａおよび４２ｂとして図５および５ａに示されるように、それぞれのメス端子を受容するように適合される。
【００２１】
メス絶縁体４８の４つの離間された円筒形の部材４８ｅ〜４８ｈの１つのそれぞれの管にメス端子の各々を挿入することによって、オスコネクタ１２およびメスコネクタ１４が嵌合した状態にある時、電気的接触および連続性が、第１の多導体ケーブル２０の複数のリードと、第２の多導体ケーブル４０の複数のリードとの間に確立される。オス絶縁体２８内のスロット３０ａ〜３０ｄのそれぞれのものの内の、かつそれらと締り嵌め接触する、メス絶縁体の４つの離間された円筒形の部材４８ｅ〜４８ｈの各々の位置付けは、オス端子およびメス端子を封入する熱伝導性材料においていかなる間隙も伴わない中実本体を提供して、電流コネクタ部材からの熱の効果的かつ効率的な除去を提供する。
【００２２】
オス絶縁体２８の隣接する当接部分の周りに、かつそれと締り嵌め係合して配置されるのは、図１１の斜視図に示される円筒形の金属スリーブ５６である。金属スリーブ５６は、その上に放射状に拡張したカラー５６ａを有する第１の端部と、第２の対向する端部部分５６ｂとを含む。図５に示されるように、組み立てられたコネクタ１０内に適所に金属スリーブ５６があると、金属スリーブのカラー５６ａは、メス絶縁体４８の外側表面と締り嵌め係合して配置されるＯリング封止５８と接触して位置付けられる。この位置において、Ｏリング封止５８は、金属スリーブの放射状のカラー５６ａ、およびメス絶縁体４８から外方に延在する放射状のカラー５１と封止接触して配置され、メス絶縁体と金属スリーブとの間に封止を形成する。金属スリーブ５６は、好ましくは、黄銅またはアルミニウム等の高度に熱伝導性の金属から成り、端部５６ｂがオス絶縁体の外側受容表面９９上へ押圧される時、熱可塑性のオス絶縁体２８との干渉嵌めを形成する。
【００２３】
オス絶縁体２８の隣接する部分の外側表面および金属スリーブ５６の周りにきつく配置されるのは、オス連結ナット３４であり、好ましくは、高熱伝導性金属でできている。図５および図５ａに示されるように、オス連結ナット３４の拡大された外側端部部分には、連結ナットからの熱の放射を容易にする、複数の離間された外側リブ３４ｂが提供される。オス連結ナット３４の反対の内側端部部分には、外側ネジ山３４ａが提供される。同様に、メス連結ナット５４もまた、好ましくは、高熱伝導性金属でできている。メス連結ナット５４もまた、図５および５ａに示されるように、メス絶縁体４８の外側表面の部分の周りに配置され、かつそれにきつく係合する。図５の斜視図に示されるように、メス連結ナット５４もまた、この連結ナットからの熱の放射を容易にするように、複数の離間された外側リブ５４ｂを含む。
【００２４】
オス連結ナット３４の内側表面内の内側の放射状のスロット３８内に配置されるのは、図５および５ａの断面図に示されるように、金属のコイル状の冷却バネ３６である。金属バネ３６は、熱伝導性であり、内側金属スリーブから外側オス連結ナットへの熱の伝導性伝送を提供するように、金属スリーブ５６の外側表面およびオス連結ナット３４の内側表面に密接に接触する。金属バネ３６のコイル状またはらせん状の構成はまた、金属スリーブ５６の外側表面からオス連結ナット３４の内側表面への放射による熱の伝送を可能にする。これらの２つの熱伝送形態は、周囲大気への解放のための電源コネクタ１０内のワイヤ圧着および端子接触からその外側表面への熱除去率を増加させる。図６を参照すると、コイル状の金属バネ３６は、好ましくは、オススリーブ５６と連結ナット３４との間の相対的回転を容易にするように、ならびにオスおよびメスコネクタ１２、１４の接続／断絶中等の金属バネのキンクの可能性を低減するように、傾斜した、または角度が付けられたコイルを含む。オス連結ナット３４と金属スリーブ５６との間の接合部には、本発明の電源コネクタ１０からの熱除去の増加のために、オス連結ナット内のそれぞれの環状の内側スロット内に各々配置される、要素３７および３９として図５において点線形態で示される追加の金属バネが提供されてもよい。当業者は、この冷却バネをどのようにしてメス連結ナットに適用し得るかが容易に分かる。
【００２５】
オスおよびメス絶縁体２８、４８の端部は、オスからメスコネクタ１２、１４の組み立てを容易にするように、互いに合わせられる。このため、その中に形成される４つの離間されたスロット３０ａ〜３０ｄによって形成される、オスインサート２８の内側部分６４の形状は、メス絶縁体４８の内側端部における４つの離間された部材４８ｅ〜４８ｈ間の空間６６の形状に合わせられる。オス絶縁体２８の内側部分６４の相補的形状、およびメス絶縁体４８の端部上の空間６６は、２つの絶縁体の組み合わせが、図４に示されるように、高熱伝導性材料から成る中実の連続的な構造を有する略円筒形の本体を形成するように、２つの絶縁体が、締り嵌め様態においてともに接続されることを可能にする。各オスおよびメス端子の組み合わせは、熱を効率的かつ効果的に消散するように、端子からオスおよびメス絶縁体の組み合わせの外側表面への熱の伝送を容易にする、この高熱伝導性材料と密接に接触する。加えて、部材４８ｅ〜４８ｈの形状は、図７および９に示されるように、オス絶縁体２８内の離間されたスロット３０ａおよび３０ｄのそれぞれの形状に相補的である。オスおよびメス絶縁体２８、４８のこれらの係合部分の相補的および一致する形状は、オスおよびメスコネクタ１２、１４の連結、ならびに各オス端子の関連付けられたメス端子への挿入を容易にするように、オス端子の各々がメス端子のそれぞれのものと整合することを容易にする。さらに、この配設は、目視観察をほとんどまたは全く伴わずに、オスコネクタ１２がメスコネクタ１４に嵌合されることを可能にし、導体産業においては、「ブラインドメイト状態」と一般的に称される。
【００２６】
メス連結ナット５４の内側表面には、簡略化のために示されていない、ネジ山が提供される。オス連結ナット３４の外側ネジ山３４ａをメス連結ナット５４の内側ネジ山に挿入して係合させ、連結ナットの一方または両方を回転変位させることによって、２つの連結ナットは、封止様態にともにきつく引き付けられ得る。オス連結ナット３４もまた、オス絶縁体２８にしっかりと係合させ、かつメス連結ナット５４もまた、その放射状のカラー５１において、メス絶縁体４８にしっかりと係合させると、オスコネクタ１２およびメスコネクタ１４は、電源コネクタ１０内のオスおよびメス端子間に封止された電気的接触を確立するように、ともにきつく引き付けられ得る。
【００２７】
本発明の特定の実施形態を図示および説明してきたが、そのより広義の態様において、本発明から逸脱することなく、変更および修正が行われ得ることが、当業者には明らかとなろう。したがって、添付の特許請求の範囲における目的は、本発明の真の精神および範囲内にある全てのかかる変更および修正を網羅することである。前述の説明および添付の図面において記載される事柄は、制限としてではなく、例解としてのみ提供される。本発明の実際の範囲は、先行技術に基づくそれらの適切な観点で見る時、以下の特許請求の範囲において定義されることが意図される。
【図１】
0006010684.tif 000002
【図２】
0006010684.tif 000003
【図３】
0006010684.tif 000004
【図４】
0006010684.tif 000005
【図５】
0006010684.tif 000006
【図５ａ】
0006010684.tif 000007
【図６】
0006010684.tif 000008
【図７】
0006010684.tif 000009
【図８】
0006010684.tif 000010
【図８ａ】
0006010684.tif 000011
【図９】
0006010684.tif 000012
【図１０】
0006010684.tif 000013
【図１０ａ】
0006010684.tif 000014
【図１１】
0006010684.tif 000015
【図１２】
0006010684.tif 000016
【図１３】
0006010684.tif 000017